(57)【要約】      （修正有）【課題】磁気誘導により、磁気装置を起動させ、流体を抽送するポンプに於いて流体と帯電性装置を完全に隔離し、流体が導電するのを効果的に防止するポンプ構造を提供する。【解決手段】ポンプ構造は、主に、主体、励磁装置、電磁装置、からなり、主体は出入口と容置空間を備え、電磁装置は主体の容置空間に設置され、主体外部に、電磁装置に対応して、励磁装置が設置される。励磁装置が磁気誘導により、電磁装置を起動させ、流体を抽送し、流体を主体の入口から前記容置装置を経て、出口から排出する。【選択図】図１
0003103805.tif 000002
【実用新案登録請求の範囲】
【請求項１】
ポンプ構造であって、
出入口と容置空間を備える主体と、
前記主体外部に設置された励磁装置と、
前記励磁装置に対応し、前記主体の容置空間に設置される電磁装置と、
からなり、前記励磁装置が磁気誘導により、前記電磁装置を起動させ、流体を抽送し、前記流体を前記主体の入口から前記容置装置を経て、前記出口から排出することを特徴とするポンプ構造。
【請求項２】
前記主体は、不透磁材質からなることを特徴とする請求項１に記載のポンプ構造。  
【請求項３】
前記励磁装置は、ステータユニットであることを特徴とする請求項１に記載のポンプ構造。
【請求項４】
前記ステータユニットは、ケイ素鋼片及びボビンユニットを備えることを特徴とする請求項３に記載のポンプ構造。
【請求項５】
前記励磁装置は、コイルであることを特徴とする請求項１に記載のポンプ構造。
【請求項６】
前記電磁装置は、磁石、ローターからなることを特徴とする請求項１に記載のポンプ構造。  
【請求項７】
前記電磁装置は、磁性活動プラグであることを特徴とする請求項１に記載のポンプ構造。
【考案の詳細な説明】
【技術分野】
【０００１】
本考案は、出入口と容置空間を備える主体と、主体外部に設置される励磁装置と、励磁装置に対応し、主体の容置空間内に設置される電磁装置と、からなるポンプ構造に関するものである。
【背景技術】
【０００２】
台湾特許申請番号０９１２００９２２の「抽水ポンプ構造」の考案で示されるように、モーター構造は、モーターがポンプ内部に設置され、モーター外部にモーター外殻を設け、モーター外殻は、ポンプ内部に一体成形され、モーターの一側に軸心が設けられ、軸心上にブレードが設置され、軸心とブレードは共に、ポンプ内部に設置されて、水流によりポンプを散熱する。
このようなモーターはポンプ内で包覆されており、モーターの軸心が連接するブレードが転動する時、水流を抽動させる方式により、モーターに水が接触するのを防止するため、防水装置を増設して、コストを増加させ、且つ、防水装置が疲労により亀裂を生じて、水が浸入しモーターを破損するのを防止し、且つ、ポンプが水を流動させる流道を開設して、また、モーターを容置するので、ポンプの体積が大きくなり、実用的ではない。
【特許文献１】特開2002-257074
【考案の開示】
【考案が解決しようとする課題】
【０００３】
公知の欠点を解決するため、本考案は、効果的なポンプ構造を提供する。
【課題を解決するための手段】
【０００４】
本考案は、磁気誘導により、電磁装置を起動させ、流体を抽送するポンプ構造を提供することを目的とする。
本考案は、流体と帯電性装置を完全に隔離し、流体が導電するのを防止するポンプ構造を提供することをもう一つの目的とする。
【考案の効果】
【０００５】
効果的なポンプ構造が得られる。
【考案を実施するための最良の形態】
【０００６】
本考案の好ましい実施例は、主体１１、励磁装置、電磁装置、からなる。
図１及び図２を参照すると、主体１１は不透磁材質からなり、主体１１は容置空間１１１を備え、容置空間１１１は主体１１の両端に、入口１１２と出口１１３を形成している。ステータユニット１２はケイ素鋼片１２２を備え、その上に、ボビンユニット１２３を設け、ステータユニット１２上に、主体１１と等しい大きさの透孔１２１を備え、主体１１上に連結される。電磁装置は、磁石１３、ローター１４、環形ベアリング１５、１７からなり、ローター１４はファンブレード１４１と軸接孔１４２を有し、且つ、軸接孔１４２は、固定軸１４３により貫通され、ローター１４は、ハウジング１６と相互に連結され、環形ベアリング１５、１７は、環形体１５１、１７１に固定リブ１５２、１７２を有し、ベアリング１５３、１７３を固接する。
組み立て時、ローター１４をハウジング１６内に設置し、更に、ハウジング１６を磁石１３内に設置して、磁石１３、ハウジング１６、ローター１４を一体にすると共に、固定軸１４３をローター１４の軸接孔１４２に貫通させ、その後、磁石１３、ハウジング１６、ローター１４、固定軸１４３及び環形ベアリング１５、１７は、主体１１の容置空間１１１内に設置され、且つ、固定軸１４３両端を環形ベアリング１５、１７のベアリング１５３、１７３に枢接して、磁石１３が主体１１内の容置空間１１１で、平衡を維持できるようにし、且つ、容置空間１１１の内壁と接触しないようにして、その後、ステータユニット１２を主体１１上に設置すると共に、容置空間１１１の磁石１３に対応させる。
図３と図４で示されるように、電流がボビンユニット１２３に流れて磁場を生成し、ケイ素鋼片１２２に磁場を生成させ、磁石１３とケイ素鋼片１２２が、磁場効果を生成して転動する時、ローター１４を帯動して、主体１１内の容置空間１１１で転動し、ローター１４が転動する時、流体１８はローター１４のファンブレード１４１により、主体１１の入口１１２から進入して容置空間１１１を通過し、出口１１３から排出される。流体１８は直接、主体１１内を通過し、帯電性装置と完全に隔離されるため、流体１８が直接、電気エネルギーに接触して、導電効果を生成するのを防止して、且つ、ローター１４は、小さい動力で流体１８の流電量と流電速度を増加させ、最大作動効率を達成する。
【０００７】
図５と図６は、本考案の第二実施例を示す図で、主体２１は、不透磁材質からなり、主体２１は容置空間２１１を備え、容置空間２１１は主体２１の両端に、入口２１２と出口２１３を形成している。コイル２２は巻線軸２２１を備え、その上に、主体２１と等しい大きさの透孔２２３を備え、主体２１上に連結されると共に、巻線軸２２１上に導線２２２を繞設する。電磁装置は、磁性活動プラグ２４、環形ベアリング２５、２７からなり、磁性活動プラグ２４は、透孔２４１を有し、且つ、透孔２４１は、固定軸２４２により貫通され、環形ベアリング２５、２７は、環形体２５１、２７１に固定リブ２５２、２７２を有し、ベアリング２５３、２７３を固接する。
【０００８】
組み立て時、固定軸２４２は磁性活動プラグ２４の透孔２４１を貫通し、その後、磁性活動プラグ２４、固定軸２４２、及び、環形ベアリング２５、２７は主体２１の容置空間２１１内に設置され、且つ、固定軸２４２両端は、環形ベアリング２５、２７のベアリング２５３、２７３に枢接されて、磁性活動プラグ２４は、主体２１内の容置空間２１１内の環形ベアリング２５、２７間で、固定軸２４２に沿って往復移動し、更に、コイル２２を、容置空間２１１の磁性活動プラグ２４に対応させて、主体２１上に設置する。
図７と図８を参照すると、コイル２２が励磁電流を受けて磁場を生成し、磁性活動プラグ２４とコイル２２が磁場効果を生成する時、主体２１の容置空間２１１内の環形ベアリング２５、２７間で、固定軸２４２に沿って往復移動し、磁性活動プラグ２４が復位する時、流体２８は主体２１の入口２１２から進入し、容置空間２１１内に流れ、磁性活動プラグ２４が作動する時、容置空間２１１の流体２８は、磁性活動プラグ２４の圧迫を受けて、出口２１３から推出し、流体２８は直接主体２１内を流れるため、帯電性装置と完全に隔離され、流体２８が直接、電気エネルギーに接触して、導電効果を生成するのを防止する。
【０００９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１０】
【図１】本考案の立体分解図である。
【図２】本考案の立体図である。
【図３】本考案のローターを示す図である。
【図４】本考案の流体の流動図である。
【図５】本考案のもう一つの立体分解図である。
【図６】本考案のもう一つの実施例による立体図である。
【図７】本考案のもう一つの実施例による磁性活動プラグの復位を示す図である。
【図８】本考案のもう一つの実施例による磁性活動プラグの起動を示す図である。
【符号の説明】
【００１１】
１１、２１…主体
１２…ステータユニット
１３…磁石
１４…ローター
１５、１７、２５、２７…環形ベアリング
１６…ハウジング
１８、２８…流体
２２…コイル
２４…磁性活動プラグ
１１１、２１１…容置空間
１１２、２１２…入口
１１３、２１３…出口
１２１、２２３、２４１…透孔
１２２…ケイ素鋼片
１２３…ボビンユニット  
１４１…ブレード
１４２…軸接孔
１４３、２４２…固定軸
１５１、１７１、２５１、２７１…環形体
１５２、２５２、２７２…固定リブ
１５３、１７３、２５３、２７３…ベアリング
２２１…巻線軸
２２２…導線
【図１】
0003103805.tif 000003
【図２】
0003103805.tif 000004
【図３】
0003103805.tif 000005
【図４】
0003103805.tif 000006
【図５】
0003103805.tif 000007
【図６】
0003103805.tif 000008
【図７】
0003103805.tif 000009
【図８】
0003103805.tif 000010